(57)【要約】      （修正有）【課題】特にステッピングモータにより偏心輪を駆動して角度を調整し、レーザー光により平面の基準を測定するレーザー水平器を提供する。【解決手段】下座台と、第一駆動部材と、第二駆動部材と、上座台と、弾性部材と、少なくとも１つのレーザー発光モジュールと、を有する。該下座台は、傾動可能に上座台に結合され、該第一駆動部材及び第二駆動部材は、下座台と上座台との間に位置して下座台上に設置され、該第一駆動部材は、第一ステッピングモータと該第一ステッピングモータの第一軸心に設置される第一偏心輪を備え、該第二駆動部材は、第二ステッピングモータと該第二ステッピングモータの第二軸心に設置される第二偏心輪を備える。それら偏心輪が上座台と接触することから、回転する時に、上座台を下座台に対して傾動させ、レーザー水準器を高精度に調整することができる。【選択図】図１
0003176158.tif 000002
【実用新案登録請求の範囲】
【請求項１】
上面と、底面と、該上面に凸設されるチューブとを備える下座台と、
第一出力軸を有し、該第一出力軸に設置される、第一偏心輪を備える第一ステッピングモータと、該第一ステッピングモータの下部に設けられると共に、前記下座台の上面に設置される第一ベースを備える第一駆動部材と、
第二出力軸を有し、該第二出力軸に設置される、第二偏心輪を備える第二ステッピングモータと、該二ステッピングモータの下部に設けられると共に、前記下座台の上面に設置される第二ベースを備える第二駆動部材と、
上面と、底面と、該底面に凸設されるように、傾動可能に前記下座台のチューブと結合する接合部を備える上座台と、
両端がそれぞれ前記下座台及び上座台に結合されると共に、前記第一駆動部材と第二駆動部材との間の近傍に位置する弾性部材と、
前記上座台の上面に設置される少なくとも１つのレーザー発光モジュールと、を有することを特徴とするレーザー水平器。
【請求項２】
前記チューブの一端にボールジョイントが設置され、
前記上座台の接合部は、枢転可能に該ボールジョイントと結合され、該ボールジョイントを支点として上座台を下座台に対して自由に傾動させることを特徴とする請求項１に記載のレーザー水平器。
【請求項３】
前記第一駆動部材及びチューブの軸心を連接する軸線Ｌ１と前記第二駆動部材及び上チューブの軸心を連接する軸線Ｌ２との間に、３０度から１８０度の角度θ１を有し、且つ、前記弾性部材が該角度θ１の範囲に配置されることを特徴とする請求項１に記載のレーザー水平器。
【請求項４】
第三出力軸を有し、前記第一ステッピングモータの上方に位置するように、該第三出力軸に第三偏心輪が設置されると共に、該第三偏心輪が上座台に接触される第三ステッピングモータと、
第四出力軸を有し、前記第二ステッピングモータの上方に設置するように、該第四出力軸に第四偏心輪が設置されると共に、該第四偏心輪が上座台に接触される第四ステッピングモータと、
前記第一ステッピングモータと第三ステッピングモータとの間に位置するように、該第三ステッピングモータ上に取り付けられ、また、前記第一偏心輪に接触すると共に、前記第一ベースに対して移動することができる第一プレートと、
前記第二ステッピングモータと第四ステッピングモータとの間に位置するように、該第四ステッピングモータ上に取り付けられ、前記第二偏心輪に接触すると共に、前記第二ベースに対して移動することができる第二プレートと、を有することを特徴とする請求項１乃至３の何れか１項に記載のレーザー水平器。
【請求項５】
前記第三偏心輪の偏心距離が第一偏心輪の偏心距離より長いと共に、前記第四偏心輪の偏心距離が第二偏心輪の偏心距離より長いことを特徴とする請求項４に記載のレーザー水平器。
【請求項６】
前記第一ベースに複数の挿設孔が凹設され、
前記第一プレートにおける、該各挿設孔と対応する箇所に、移動可能に該挿設孔に挿設される複数の挿設柱が凸設され、
前記第二ベースに複数の挿設孔が凹設され、
前記第二プレートにおける、該各挿設孔と対応する箇所に、移動可能に該挿設孔に挿設される複数の挿設柱が凸設されることを特徴とする請求項５に記載のレーザー水平器。
【請求項７】
前記弾性部材は、第一弾性ユニット及び第二弾性ユニットを備え、該第一弾性ユニット及び第二弾性ユニットの一端が１つのボルトにより下座台の上面１２に取り付けられると共に、他端がそれぞれ２つのボルト５１により上座台４０の底面４１取り付けられることを特徴とする請求項６に記載のレーザー水平器。
【請求項８】
前記第一弾性ユニット及び第二弾性ユニットは、前記第一駆動部材と第二駆動部材とが形成する角度の範囲内に配置されることを特徴とする請求項７に記載のレーザー水平器。
【請求項９】
前記第一駆動部材及び第二駆動部材がそれぞれ、下座台の周縁近傍に設置されることを特徴とする請求項８に記載のレーザー水平器。
【請求項１０】
前記第一駆動部及び第二駆動部材がそれぞれ、下座台の中心近傍に設置されることを特徴とする請求項８に記載のレーザー水平器。
【考案の詳細な説明】
【技術分野】
【０００１】
本考案は、特にステッピングモータにより偏心輪を駆動して角度を調整し、レーザー光により平面の基準を測定するレーザー水平器に関するものである。
【背景技術】
【０００２】
従来の墨出しは、建築工事または家具製作ための基準となる点や、水平ライン、縦ラインなどを測定する場合に、人工的に墨出し線を引き、或いは、気泡管水準器を用いて移動させながら基準ラインを測定するが、測定した後、その墨出し線を消す手間が必要であることから、非常に不便である。その欠点を解決するために、現在技術により、簡単操作のレーザー水平器を有し、レーザー光を所望の角度に調整してスイッチをオンに切り替えると、レーザー光を物に投射して簡単に使える。
【０００３】
既存のレーザー水平器は、さまざまな角度を有する床面上に静置するために、レーザー水平器の座台の下部に複数の支持部材が設けられ、それら支持部材を伸縮させることにより、レーザー水平器の座台を調整して安定的に静置させる。
【０００４】
前述各支持部材は、螺旋手段により一側方向に沿って移動するが、その螺旋手段のピッチが所定の距離を有することから、調整する時に、振動や温度による熱膨張・冷収縮により、レーザー光の精度に誤差が発生し、さらに、支持部材を調整する時にも誤差が発生することがあることから、レーザー光を遠距離に投射すると、測定の精度が大幅に下がり、また、その複数の支持部材を調整する時にも、一つずつ調整しなければならないので、時間が無駄になる上、誤差で出るおそれもあった。
【考案の概要】
【考案が解決しようとする課題】
【０００５】
ステッピングモータが偏心輪を駆動して設置角度の微調整を行なうことにより、既存のレーザー水平器における、支持部材の調整時に、誤差が発生するという問題や、微調整ができないという欠点を解決するレーザー水平器を提供する。
【課題を解決するための手段】
【０００６】
本考案に係るレーザー水準器は、上面と、底面と、該上面に凸設されるチューブとを備える下座台と、
第一出力軸を有し、該第一出力軸に設置される、第一偏心輪を備える第一ステッピングモータと、該第一ステッピングモータの下部に設けられると共に、前記下座台の上面に設置される第一ベースを備える第一駆動部材と、
第二出力軸を有し、該第二出力軸に設置される、第二偏心輪を備える第二ステッピングモータと、該二ステッピングモータの下部に設けられると共に、前記下座台の上面に設置される第二ベースを備える第二駆動部材と、
上面と、底面と、該底面に凸設されるように、傾動可能に前記下座台のチューブと結合する接合部を備える上座台と、
両端がそれぞれ前記下座台及び上座台に結合されると共に、前記第一駆動部材と第二駆動部材との間の近傍に位置する弾性部材と、
前記上座台の上面に設置される少なくとも１つのレーザー発光モジュールと、を有するものである。
【０００７】
前記チューブの一端にボールジョイントが設置され、
前記上座台の接合部は、枢転可能に該ボールジョイントと結合され、該ボールジョイントを支点として上座台を下座台に対して自由に傾動させることが好ましい。
【０００８】
前記第一駆動部材及びチューブの軸心を連接する軸線Ｌ１と前記第二駆動部材及び上チューブの軸心を連接する軸線Ｌ２との間に、３０度から１８０度の角度θ１を有し、且つ、前記弾性部材が該角度θ１の範囲に配置されることが好ましい。
【０００９】
第三出力軸を有し、前記第一ステッピングモータの上方に位置するように、該第三出力軸に第三偏心輪が設置されると共に、該第三偏心輪が上座台に接触される第三ステッピングモータと、
第四出力軸を有し、前記第二ステッピングモータの上方に設置するように、該第四出力軸に第四偏心輪が設置されると共に、該第四偏心輪が上座台に接触される第四ステッピングモータと、
前記第一ステッピングモータと第三ステッピングモータとの間に位置するように、該第三ステッピングモータ上に取り付けられ、また、前記第一偏心輪に接触すると共に、前記第一ベースに対して移動することができる第一プレートと、
前記第二ステッピングモータと第四ステッピングモータとの間に位置するように、該第四ステッピングモータ上に取り付けられ、前記第二偏心輪に接触すると共に、前記第二ベースに対して移動することができる第二プレートと、を有する。
【００１０】
前記第三偏心輪の偏心距離が第一偏心輪の偏心距離より長いと共に、前記第四偏心輪の偏心距離が第二偏心輪の偏心距離より長いことが好ましい。
【００１１】
前記第一ベースに複数の挿設孔が凹設され、
前記第一プレートにおける、該各挿設孔と対応する箇所に、移動可能に該挿設孔に挿設される複数の挿設柱が凸設され、
前記第二ベースに複数の挿設孔が凹設され、
前記第二プレートにおける、該各挿設孔と対応する箇所に、移動可能に該挿設孔に挿設される複数の挿設柱が凸設されることが好ましい。
【００１２】
前記弾性部材は、第一弾性ユニット及び第二弾性ユニットを備え、該第一弾性ユニット及び第二弾性ユニットの一端が１つのボルトにより下座台の上面１２に取り付けられると共に、他端がそれぞれ２つのボルト５１により上座台４０の底面４１取り付けられても構わない。
【００１３】
前記第一弾性ユニット及び第二弾性ユニットは、前記第一駆動部材と第二駆動部材とが形成する角度の範囲内に配置されても構わない。
【００１４】
前記第一駆動部材及び第二駆動部材がそれぞれ、下座台の周縁近傍に設置されてもよい。
【００１５】
前記第一駆動部及び第二駆動部材がそれぞれ、下座台の中心近傍に設置されてもよい。
【考案の効果】
【００１６】
本考案に係るレーザー水平器は上記の如く、第一駆動部材の少なくとも1つの第一偏心輪及び第二駆動部材の少なくとも1つの第二偏心輪の回転により、上座台を接触して移動させると共に、該上座台を下座台に対して様々な角度に傾倒させることができることから、レーザー水平器からのレーザービームを微調整して測定精度を上向させることができ、また、各駆動部材は、ステッピングモータを用いて偏心輪を回転させると共に、それら偏心輪が上座台に接触された状態で移動することから、レーザー発光モジュールを高精度に調整できるので、使用者は簡単に操作をすることができる。
【図面の簡単な説明】
【００１７】
【図１】本考案に係るレーザー水平器の斜視図である。
【図２】本考案に係るレーザー水平器の下面視部分分解斜視図である。
【図３】本考案に係るレーザー水平器の上面視部分分解斜視図である。
【図４】本考案に係るレーザー水平器の上面視部分平面図である。
【図５】本考案に係るレーザー水平器において複数のレーザー発光モジュールを有する実施例の斜視図である。
【図６】本考案に係るレーザー水平器の使用状態を示す部分断面図である。
【図７】本考案に係るレーザー水平器における他の実施例の斜視図である。
【図８】図７の実施例の使用状態を示す部分断面図である。
【図９】本考案に係るレーザー水平器におけるもう一つの実施例上面視部分平面図である。
【図１０】図９の実施例の使用状態を示す部分断面図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１９】
図１に示すように、本考案に係るレーザー水平器１は、下座台１０と、第一駆動部材２０と、第二駆動部材３０と、上座台４０と、弾性部材と、レーザー発光モジュール６０とを有する。
【００２０】
図２乃至図４に示すように、前記下座台１０は、円盤状を呈し、底面１１と、上面１２と、該底面１１及び上面１２を貫通するように、中央に形成される貫通孔１３と、該上面１２における、貫通孔１３と対応する内縁部に凸設されるチューブ１４と、該チューブ１４の一端に取り付けられるボールジョイント１５とを備える。尚、前記ボールジョイント１５は、既存の技術であることから、その説明を省略する。
【００２１】
前記第一駆動部材２０は、第一ステッピングモータ２１と、第三ステッピングモータ２２と、該第一ステッピングモータ２１と第三ステッピングモータ２２との間に設置される第一プレート２３と、第一ベース２６とを備え、その内、該第一ステッピングモータ２１の第一出力軸に第一偏心輪２４が設置され、該第一偏心輪２４が第一プレート２３に接触され、該第一ベース２６が第一ステッピングモータ２１の下部に位置するように、前記下座台１０の上面１２に設置され、該第一ベース２６における上面の各隅にそれぞれ挿設孔２６１が凹設される。
【００２２】
また、前記第三ステッピングモータ２２は、第一ステッピングモータ２１の上方に位置するように第一プレート２３に取り付けられ、第三出力軸に第三偏心輪２５が設置され、該第三偏心輪２５が上座台４０に接触され、また、前記第一プレート２３における、各挿設孔２６１と対応する箇所に複数の挿設柱２３１が凸設され、該挿設柱２３１はそれぞれ、移動可能に挿設孔２６１に挿設される。尚、該第三偏心輪２５の偏心距離は、第一偏心輪２４の偏心距離より長く設定されている。
【００２３】
前記第二駆動部材３０は、第二ステッピングモータ３１と、第四ステッピングモータ３２と、該第二ステッピングモータ３１と第四ステッピングモータ３２との間に設置される第二プレート３３と、第二ベース３６とを備え、その内、該第二ステッピングモータ３１の第二出力軸に第二偏心輪３４が設置され、該第二偏心輪３４が第二プレート３３に接触され、該第二ベース３６が該二ステッピングモータ３１の下部にするように、前記下座台１０の上面１２に設置され、該第二ベース３６における上面の各隅にそれぞれ挿設孔３６１が凹設される。
【００２４】
また、前記第四ステッピングモータ３２は、第二ステッピングモータ３１の上方に位置し、第四出力軸に第四偏心輪３５が設置され、該第四偏心輪３５が上座台４０に接触され、該第四ステッピングモータ３２が第二プレート３３に取り付けられ、該第二プレート３３における、該各挿設孔３６１と対応する箇所に複数の挿設柱３３１が凸設され、該第二プレート３３の挿設柱３３１がそれぞれ移動可能に第二ベース３６の挿設孔３６１に挿設される。尚、前記第四偏心輪３５の偏心距離は、第二偏心輪３４の偏心距離より長く設定されている。
【００２５】
前記第一駆動部材２０及び第二駆動部材３０はそれぞれ、下座台１０の周縁近傍に設置されると共に、チューブ１４の軸心に向かって延びる直線方向を軸線とし、その内、該第一駆動部材２０においては、チューブ１４の軸心に向かって延びる直線方向を軸線Ｌ１とし、該第二駆動部材３０においては、チューブ１４の軸心に向かって延びる直線方向を軸線Ｌ２とする。尚、前記軸線Ｌ１と軸線Ｌ２との間に角度が形成され、その角度θ１は、３０度から１８０度までの範囲とすることが好ましい。
【００２６】
前記上座台４０は、円盤状を呈し、底面４１と、上面４２と、該底面４１及び上面４２を貫通するように中央に形成される貫通孔４３と、該底面４１における、貫通孔４３と対応する箇所に、下方へ凸設される接合部４４とを備え、その内、該接合部４４は、柱体であり、枢転可能に前記下座台１０のチューブ１４のボールジョイント１５と結合されるので、その下座台１０及び上座台４０は、該ボールジョイント１５を支点として様々な角度に傾動することができる。
【００２７】
前記弾性部材は、両端がそれぞれ前記下座台１０及び上座台４０に結合され、前記第一駆動部材２０と第二駆動部材３０との間の近傍に位置すると共に、第一弾性ユニット５０と、複数のボルト５１と、第二弾性ユニット５２とを備える。尚、本実施例においては、その第一弾性ユニット５０及び第二弾性ユニット５２の一端が１つのボルト５１により下座台１０の上面１２に取り付けられると共に、他端がそれぞれ２つのボルト５１により上座台４０の底面４１に取り付けられ、また、図４に示すように、該弾性部材を下座台１０及び上座台４０に結合する位置は、第一駆動部材２０の軸線と第二駆動部材３０の軸線との間に形成された略９０度の範囲内に配置される。
【００２８】
前記レーザー発光モジュール６０は、前記上座台４０の上面４２における、貫通孔４３と反対する周縁近傍に設置される。
【００２９】
図５及び図６に示すように、本考案によれば、回路により制御信号を第一駆動部材２０及び第二駆動部材３０に送信し、その制御信号によって、第一駆動部材２０の第一ステッピングモータ２１及び第三ステッピングモータ２２と、第二駆動部材３０の第二ステッピングモータ３１及び第四ステッピングモータ３２との駆動を制御する。また、使用する時に、第一ステッピングモータ２１を駆動して第一偏心輪２４を回転させると、第一偏心輪２４が第一プレート２３に接触され、第一プレート２３の挿設柱２３１が第一ベース２６の挿設孔２６１に沿って移動しながら、第一プレート２３及び該第一プレート２３上の第三ステッピングモータ２２を移動させると共に、第三ステッピングモータ２２を駆動して第三偏心輪２５を回転させるので、上座台４０を下座台１０に対して傾動させることができる。
【００３０】
一方、前記第二ステッピングモータ３１を駆動して第二偏心輪３４を回転させると、第二偏心輪３４が第二プレート３３に接触され、挿設柱３３１が第二ベース３６の挿設孔３６１に沿って移動しながら、第二プレート３３及び該第二プレート３３上の第四ステッピングモータ３２を移動させると共に、第四ステッピングモータ３２を駆動して第四偏心輪３５を回転させるので、上座台４０を下座台１０に対して移動させることができる。また、前記上座台４０の接合部４４は、下座台１０のチューブ１４のボールジョイント１５を支点として、下座台１０に対して傾動するので、上座台４０の上面４２に設置されているレーザー発光モジュール６０を所望の角度に調整してからレーザー光を投射して測定することができる。更に、その弾性部材は、収縮の付勢力を提供することから、上座台４０及び下座台１０を引っ張って第一偏心輪２４及び第三偏心輪２５をそれぞれ対応する箇所にしっかりと接触させ、また、上座台４０を調整した後で下座台１０に対して復位させることができる。
【００３１】
図７及び図８に示すように、本考案に係る他の実施例のレーザー水平器１Ａにおいて、第一駆動部２０Ａは、第一ベース２６Ａを介して下座台１０Ａの上面１２Ａ上に設置されると共に、第一ステッピングモータ２１Ａを有し、該第一ステッピングモータ２１Ａの第一出力軸に第一偏心輪２４Ａが取り付けられ、該第一偏心輪２４Ａが上座台４０Ａの底面４１Ａに接触され、一方、第二駆動部材３０Ａは、第二ベース３６Ａを介して下座台１０Ａ上に設置されると共に、第二ステッピングモータ３１Ａを有し、該第二ステッピングモータ３１Ａの第二出力軸に第二偏心輪３４Ａが取り付けられ、該第二偏心輪３４が上座台４０Ａの底面４１Ａに接触され、この点において、前記レーザー水平器１と異なる。更に、本実施例においては、レーザー発光モジュール６０Ａが上座台４０Ａの上面４２Ａに設置されると共に、底面１１Ａを介してレーザー水平器１Ａが配置される。
【００３２】
図９及び図１０に示すように、更に他の実施例におけるレーザー水平器１Ｂの構造は、その殆どがレーザー水平器１と同一であり、第一駆動部２０Ｂ及び第二駆動部材３０Ｂがそれぞれ、下座台１０Ｂの中心近傍、即ち、周縁近傍から貫通孔１３Ｂに接近した箇所に設置され、また、該第一駆動部２０Ｂの軸線と第二駆動部材３０Ｂの軸線との間に、３０度から１８０度までの範囲の角度θ２が設けられる。
【００３３】
この実施例におけるレーザー水平器１Ｂを使用する時は、第一ステッピングモータ２１Ｂを駆動して第一偏心輪２４Ｂを回転させて第一プレート２３Ｂを移動させると共に、第三ステッピングモータ２２Ｂを駆動して第三偏心輪２５Ｂを回転させ、更に、第二ステッピングモータ３１Ｂを駆動して第二偏心輪３４Ｂを回転させて第二プレート３３Ｂ及び第四ステッピングモータ３２Ｂの第四偏心輪３５Ｂを移動させることによって、上座台４０Ｂを下座台１０Ｂに対して傾動させる。
【００３４】
本実施例は、下座台１０Ｂと上座台４０Ｂとの間に設置されるボールジョイント１５Ｂを支点とすることから、てこの原理によって、第一駆動部２０Ｂ及び第二駆動部材３０Ｂが支点と接近すれば接近する程、上座台４０Ｂが下座台１０Ｂに対して傾動できる角度が大きくなり、使用者がレーザー水平器１Ｂを調整する時に、その傾動角度を広く調整することができる。
【産業上の利用可能性】
【００３５】
本考案に係るレーザー水平器は上記の構成を有することから、第一駆動部材の少なくとも1つの第一偏心輪及び第二駆動部材の少なくとも1つの第二偏心輪の回転により、レーザー水平器の上座台を接触して移動させると共に、上座台を下座台に対して様々な角度に自由に傾動させることができることから、レーザー水平器からのレーザービームを微調整して測定精度を上向することができ、また、各駆動部材がステッピングモータを用いて偏心輪を回転させると共に、それら偏心輪の回転により上座台を移動させてレーザー発光モジュールを高精度に調整することができるので、操作が極めて簡単である。
【符号の説明】
【００３６】
１、１Ａ、１Ｂ：レーザー水平器
１０、１０Ａ、１０Ｂ：下座台
１１、１１Ａ：底面
１２、１２Ａ：上面
１３、１３Ｂ：貫通孔
１４：チューブ
１５、１５Ｂ：ボールジョイント
２０、２０Ａ、２０：Ｂ第一駆動部材
２１、２１Ａ、２１Ｂ：第一ステッピングモータ
２２、２２Ｂ：第三ステッピングモータ
２３、２３Ｂ：第一プレート
２３１：挿設柱
２４、２４Ａ、２４Ｂ：第一偏心輪
２５、２５Ｂ：第三偏心輪
２６、２６Ａ：第一ベース
２６１：挿設孔
３０、３０Ａ、３０Ｂ：第二駆動部材
３１、３１Ａ、３１Ｂ：第二ステッピングモータ
３２、３２Ｂ：第四ステッピングモータ
３３、３３Ｂ：第二プレート
３３１：挿設柱
３４、３４Ａ、３４Ｂ：第二偏心輪
３５、３５Ｂ：第四偏心輪
３６、３６Ａ：第二ベース
３６１：挿設孔
４０、４０Ａ、４０Ｂ：上座台
４１、４１Ａ：底面
４２、４２Ａ：上面
４３：貫通孔
４４：接合部
５０：第一弾性ユニット
５１：ボルト
５２：第二弾性ユニット
６０、６０Ａ：レーザー発光モジュール
Ｌ１、Ｌ２、Ｌ３、Ｌ４：軸線
θ１：角度
θ２：角度
【図１】
0003176158.tif 000003
【図２】
0003176158.tif 000004
【図３】
0003176158.tif 000005
【図４】
0003176158.tif 000006
【図５】
0003176158.tif 000007
【図６】
0003176158.tif 000008
【図７】
0003176158.tif 000009
【図８】
0003176158.tif 000010
【図９】
0003176158.tif 000011
【図１０】
0003176158.tif 000012